(57)【要約】【課題】簡素な構成としながらも、静電吸着シートの全面に亘って光を行き届けさせ得る表示装置を提供する。【解決手段】本発明に係る表示装置は、表面側に設けられ外方へ向けて光を透過し得る導光板２２と、この導光板２２の表示方向に直交する端面から発せられる光源２３と、この光源２３からの光を裏面から表面へ向けて反射し得る裏面板２１とを備え、導光板２２から外方へ向けて光を透過し得るように構成するとともにこの導光板２２よりも表面側に所定の表示内容が記されたシートを静電吸着効果により添付するためのシート貼付面２９を設けたことを特徴とする。【選択図】図６
2018180418.tif 000002
【特許請求の範囲】
【請求項１】
表面側に設けられ外方へ向けて光を透過し得る導光板と、
この導光板の表示方向に直交する端面から発せられる光源と、
この光源からの光を裏面から表面へ向けて反射し得る裏面板とを備え、
前記導光板から外方へ向けて光を透過し得るように構成するとともにこの導光板よりも表面側に所定の表示内容が記された静電吸着シートを添付したことを特徴とする表示装置。
【請求項２】
表面側に設けられ外方へ向けて光を透過し得る導光板と、
この導光板の表示方向に直交する端面から発せられる光源と、
この光源からの光を裏面から表面へ向けて反射し得る裏面板とを備え、
前記導光板から外方へ向けて光を透過し得るように構成するとともにこの導光板よりも表面側に所定の表示内容が記されたシートを静電吸着効果により添付するためのシート貼付面を設けたことを特徴とする表示装置。
【請求項３】
前記光源が、一端面のみから発せられるものである請求項１又は２記載の表示装置。
【請求項４】
前記裏面板が、白色をなすものである請求項１〜３の何れかに記載の表示装置。
【請求項５】
前記静電吸着シートが、透明か或いは透光性を有する乳白色を呈した静電吸着層を有している請求項１記載の表示装置。
【請求項６】
前記静電吸着シートが、表面側に凹凸が形成されたものである請求項１記載の表示装置。
【請求項７】
前記光源が設けられていない端面に、反射部材が設けられている請求項１〜６の何れかに記載の表示装置。
【請求項８】
前記光源が、下方から発光するものである請求項１〜７の何れかに記載の表示装置。
【発明の詳細な説明】
【技術分野】
【０００１】
本発明は、衆目に明確に所定の内容を提示し得るサインパネルとして好適に適用し得る表示装置に関するものである。
【背景技術】
【０００２】
従来、例えば繁華街における歩道沿いや店舗内において、広告といった所定の内容を印刷したサインシートを見る者に明確に提示するために用いられるサインパネルと称されるような表示装置が周知である。
【０００３】
斯かる表示装置は、光源、表示内容を示すためのサインシート、当該サインシートを厚み方向に挟み込むために厚み方向に空間を設けることによる隙間を備えている。使用者は、当該隙間にサインシートを挿入し、挟み込ませることによって、所望の表示を行い得るようにしている。
【０００４】
また、サインシートを装置内に挟み込む手法とは別に、掲示したい箇所の表面に、粘着材が塗布されたシート状の掲示板を貼付し、当該掲示板の背面から光源により光を照射することにより、掲示板を明確に表示しようとする技術も開示されている（例えば、特許文献１参照）。
【０００５】
そして近年、サインシートに用いる素材として、静電吸着シートを用いた表示装置を挙げることができる(例えば、特許文献２参照)。
【先行技術文献】
【特許文献】
【０００６】
【特許文献１】特許第３１３５２８７号公報
【特許文献２】特開２０１４−２４３２６号公報
【発明の概要】
【発明が解決しようとする課題】
【０００７】
しかしながら、上述したように厚み方向に設けられた隙間にサインシートを挿入する態様のものは、隙間の寸法の分厚み寸法が大きくなってしまうばかりか当該隙間がサインシートの発光に不具合を来す可能性も招来し、何よりサインシートの交換の際、不要に手間を掛けてしまうこととなる。
【０００８】
また、粘着材が塗布されたシート状の掲示板を貼付する態様である特許文献１記載のものは、光源を背面側に配置する構成を適用しているため、光源の厚み寸法に応じていきおい装置が大型化してしまうという不具合がある。また光源を端面から照射するという手法も考え得るが、斯かる文献に記載されたようなシートの場合、光源からの距離が大きくなるにつれ発光度合いが低くなる傾向が避けられない。この傾向を回避するためには前記シートの裏面側に光を拡散し得る拡散板を設けるという手法も考えられるが、勿論当該拡散板の厚みだけ装置は大型化し且つ部品点数も多くなってしまう。そして粘着材が塗布されたシートはその構成上、しわ無く均一に貼るのが難しく、貼付先との間に不要な気泡が入り込んでしまったり、当該シートをはがした際に貼付先に粘着材が残ってしまったりするという場合があるという粘着材特有の課題を包含している。また表面への映り込み故、表示面が良好に視認し得ないという点も指摘されている。
【０００９】
更に上記特許文献２では、粘着材を有さなくとも貼付先に貼付し得るものとして静電吸着シートが開示されているが、被着体たる貼付先について何ら具体的な開示がされていない。
【００１０】
すなわち、本発明は、上記のような課題を解消することを目的としており、簡素な構成としながらも表示箇所を隈無く照らし得る表示装置を提供することを目的とするものである。
【課題を解決するための手段】
【００１１】
本発明は、かかる目的を達成するために、次のような手段を講じたものである。
【００１２】
すなわち、本発明に係る表示装置は、表面側に設けられ外方へ向けて光を透過し得る導光板と、この導光板の表示方向に直交する端面から発せられる光源と、この光源からの光を裏面から表面へ向けて反射し得る裏面板とを備え、前記導光板から外方へ向けて光を透過し得るように構成するとともにこの導光板よりも表面側に所定の表示内容が記された静電吸着シートを添付したことを特徴とする。
【００１３】
また本発明に係る表示装置は、表面側に設けられ外方へ向けて光を透過し得る導光板と、この導光板の表示方向に直交する端面から発せられる光源と、この光源からの光を裏面から表面へ向けて反射し得る裏面板とを備え、前記導光板から外方へ向けて光を透過し得るように構成するとともにこの導光板よりも表面側に所定の表示内容が記されたシートを静電吸着効果により添付するためのシート貼付面を設けたことを特徴とする。
【００１４】
ここで本発明は、静電吸着シートが貼付されている場合、その裏面側且つ端面から光が照射された場合、光の照射箇所から離れた箇所においても隈無く光が届くことを発明者らにより見出された。その結果、端面からの光源からの照射のみであっても上述したような拡散板を設ける事無く、表示装置を外方から視認した場合静電吸着シートの全面に亘って良好な発光が得られるという点を発見した。
【００１５】
このようなものであれば、端面に設けられた光源からの光が隈無く表示方向に行き渡るため、表示方向の裏面側において表示面積に相当する光源を設けることなく、静電吸着シートの全面に亘って光を行き届けさせ得る表示装置を提供することができる。斯かる構成によればサインシートを挿入するための隙間、サインシートの背面側に設ける光源や端面からの光源からの光を拡散させるための拡散板を設けること無く、コンパクトな構成が実現された表示装置を提供することができる。また静電吸着シートの特性故、貼付先との間に気泡を生じ難く均一な貼付が可能で、且つ、表面側からの不要な映り込みを招来し難いものとなっている。
【００１６】
表示装置としての構成をより簡素なものとするためには、光源を、表示方向に直交する端面のうち一端面のみから発せられるものとすることが望ましい。
【００１７】
光源からの光を隈無く静電吸着シートへ行き渡らせるためには、裏面板を、白色をなすものとすることが望ましい。
【００１８】
さらに、静電吸着シートの全面に亘って光を行き渡らせるための構成としては、前記静電吸着シートが、透明か或いは透光性を有する乳白色を呈した静電吸着層を有しているものとすることが望ましい。
【００１９】
そして、光源からの光を効率良く静電吸着シートへ照射するための構成として、光源が設けられていない端面に、反射部材を設けている構成を挙げることができる。
【００２０】
加えて、表示装置自体の構成を簡素なものとしつつ所望の効果を得るためには、光源を、導光板の下方から発光するものとすることが望ましい。
【００２１】
また、静電吸着シートの全面に亘って光を行き渡らせるための他の構成としては、静電吸着シートを、表面側に凹凸が形成されたものとすることが望ましい。
【発明の効果】
【００２２】
本発明は、以上説明した構成であるから、表示方向の裏面側において表示面積に相当する光源を設けることなく簡素な構成としながらも、静電吸着シートの全面に亘って光を行き届けさせ得る表示装置を提供することができる。
【図面の簡単な説明】
【００２３】
【図１】同実施形態に係る斜視図。
【図２】同実施形態に係る正面側から見た構成説明図。
【図３】同実施形態に係る背面側から見た構成説明図。
【図４】同実施形態に係る要部の分解斜視図。
【図５】同実施形態に係る要部の側断面図。
【図６】図５に係る作用説明図。
【図７】同実施形態の変形例に係る斜視図。
【図８】同上。
【図９】同実施形態の他の変形例に係る図５に対応する側断面図。
【発明を実施するための形態】
【００２４】
以下、本発明の一実施形態を、図１〜図６を参照して説明する。
【００２５】
本実施形態に係る表示装置は、例えば店舗内で商品を展示する際、当該商品を紹介するための所定の印刷がなされたサインシートと称されるものを全体的に発光させることにより、当該サインシートとともに展示している商品のアピールを行うためのものである。
【００２６】
この表示装置は、上面側に所定の商品を展示するための土台１と、この土台１に支持されつつサインシートを全面に亘って発光させるための装置本体２とを主な構成要素としている。また図１〜図６に示すものは、装置本体２の一面側のみにサインシートを設けている態様としているため、他面側には別途、後化粧板６を配している。そして本実施形態では、サインシートとして、装置本体２に静電吸着しつつ所定の印刷が施されている静電吸着シート３を適用している。
【００２７】
すなわち本実施形態に係る表示装置は、表面側に設けられ外方へ向けて光を透過し得る導光板２２と、この導光板２２の表示方向に直交する端面から発せられる光源２３と、この光源２３からの光を裏面から表面へ向けて反射し得る裏面板２１とを備え、導光板２２から外方へ向けて光を透過し得るように構成するとともにこの導光板２２よりも表面側に所定の表示内容が記されたシートを静電吸着効果により添付するためのシート貼付面２９を設けたことを特徴とする。
【００２８】
なお本実施形態に係る表示装置は、上記土台１、装置本体２、そして場合によっては後化粧板６のみによってなし得るものであるが、以下の説明において、サインシートを構成する静電吸着シート３をも含めた構成、換言すれば導光板２２よりも表面側に所定の表示内容が記された静電吸着シート３を添付した構成のものを、表示装置として説明することとする。
【００２９】
以下、表示装置の各構成要素について説明する。
【００３０】
土台１は上述の通り、上面側に所定の商品を載置し得るように構成しつつ装置本体２を支持するためのものである。また土台１は装置本体２に所要の電力を供給するための配線等を内蔵するものであるが、これらの給電に関する構成は既存の構成を種々利用し得るため、詳細な説明を省略する。
【００３１】
装置本体２は背面側に配される裏面板２１と、この裏面板２１に隙間無く密着するように配された導光板２２と、この導光板２２の下端面より光を照射するための光源２３と、裏面板２１並びに導光板２２を密着させるための接着シート２４と、導光板２２の両側端面並びに上端面に配された反射部材２５とを有している。
【００３２】
また本実施形態では図２及び図３に示すように、裏面板２１の更に裏面側すなわち背面側において見栄えを確保するために設けられた後化粧板６を表示装置の一構成要素として配している。
【００３３】
裏面板２１は、装置本体２の形状を有効に保持しつつ光源２３からの光を表面側へ有効に反射し得るためのものである。この裏面板２１は、本実施形態では、当該裏面板２１の形状を保持するためのアクリル板２７と、このアクリル板２７の表面に貼付された白色を呈した反射シート２８とを有している。アクリル板２７は、勿論アクリルからなる硬質の板材であるが、裏面板２１の形状を保持し得るものであれば素材がアクリルに限られることは無いのはもちろんである。反射シート２８は、アクリル板２７の表面に貼付された白色をなす樹脂製のシートであり、光源２３からの光を表面側へ好適に反射し得るものである。本実施形態ではこの反射シート２８を白色のものとすることで裏面板２１が白色を呈するように構成したものであるが勿論、光を有効に反射し得る態様であれば良く、また当該反射シート２８をアクリル板２７と一体に構成する態様を妨げるものではない。その一例として、白色をなすアクリル製の板材単体にて裏面板２１を構成するものであっても良い。
【００３４】
導光板２２は、裏面側が上述した反射シート２８に密着しているとともに表面側が上述の通り、所定の表示内容が記されたシートを静電吸着効果により添付するためのシート貼付面２９が設けられたものである。この導光板２２は、本実施形態では例えば透明をなす板材を主体とするものである。この導光板２２は透明をなす態様に限られることはなく、一端面から発せられた光を他端面まで導き得る透光性を有する態様であればたとえば乳白色などの色彩を呈していても良い。
【００３５】
光源２３は、本実施形態では導光板２２の一端面のみ、例えば下端面の全幅に亘って配され土台１側から給電されることにより下方から発光し得る白色ＬＥＤである。当該白色ＬＥＤの具体的な態様については既存の構成を種々適用し得るために具体的な説明は省略する。また本実施形態では白色ＬＥＤを用いているが、白色を構成し得る各単色をなすＬＥＤを別体に配置し、導光板２２に白色の光を照射するような態様を妨げるものではない。
【００３６】
接着シート２４は、裏面板２１及び導光板２２を密着させるために配された、透明をなす粘着シートからなるものである。接着シート２４は、裏面板２１及び導光板２２の上端に配された上接着シート２４ａと、下端に配された下接着シート２５ｂと、両側端に配された側接着シート２４ｃとを有している。
【００３７】
反射部材２５は、本実施形態では光源２３が設けられていない導光板２２の両側端面並びに上端面に配されるものであり、光源２３からの光を有効に反射し得る色彩並びに素材からなるものである。反射部材２５は、本実施形態では上記上接着シート２４ａの内側に配される上反射板２５ａと、導光板２２の両側端面に配され上記側接着シート２４ｃの内側に配される側反射板２５ｂとを有している。
【００３８】
金属枠２６は、上述した装置本体２を構成する上記構成要素の上端並びに両側端を覆いつつ裏面板２１及び導光板２２をねじ止め等により固定するための金属製の枠材である。この金属枠２６は横断面視Ｔ字状をなしている。また本実施形態では装置本体２の背面側には後化粧板６を装着している。
【００３９】
ここで本実施形態では上述の通り、装置本体２に対し、裏面板２１及び導光板２２を配していない背面側には後化粧板６が配される。
【００４０】
後化粧板６は、上記金属枠２６の寸法に略合致するように設けられた化粧板本体６１と、この化粧板本体６１の上端及び両側端近傍に配された磁石シート６２とを有している。この磁石シート６２が金属枠２６に磁力により吸着することで、後化粧板６が装置本体２に容易に装着され得る。
【００４１】
そして、本実施形態に係る表示装置は導光板２２のシート貼付面２９に、静電吸着効果により所定の印刷を施されたシートの一例として、静電吸着シート３を貼付している。
【００４２】
静電吸着シート３は、図６に示すように、静電吸着層３１と、印刷層３２と、凹凸表層３３とを有している。静電吸着層３１は、静電吸着効果により他の面に気泡や皺等が生じ難い態様にて貼付し得るような断面形状をなしており、本実施形態では透明となっている。勿論透明に限らず、所望の光を表面側に透過し得るものであれば他に静電吸着層３１の色彩は透光性を有する乳白色を挙げることができる。印刷層３２は、表面側に表示したい内容が印刷された層であり、印刷の箇所や色彩によって光の透過度合いが異なったり、所定の波長の光が反射されたりするものとなっている。しかし光の透過を完全に阻害するような印刷で無い限り、当該印刷層３２の色彩等の印刷内容は何ら限定されない。
【００４３】
そして本実施形態では当該静電吸着シート３は上述の通り、印刷層３２の表面に微細な凹凸を形成した凹凸表層３３を有している。この凹凸表層３３では全ての光が透過されるとは限らず、印刷層３２の態様のみならず、光が入射する角度や光の波長によって反射される光も存在するようになっている。
【００４４】
そして図６にて直線或いは屈曲線をなす矢印に示すように、上述の静電吸着シート３をシート貼付面２９に貼付することにより、本実施形態に係る表示装置は従来用いられていたような拡散板を用いることもなく導光板２２内で有効に拡散される。その結果、静電吸着シート３の表面側全域に亘って光が発せられるため、静電吸着シート３に印刷された所定の表示内容が隈無く明るく表示される。なお図６においては、図５と異なり、光の動向をより詳細に図示すべく透明である部分や透光性を有する部分におけるハッチを略している。
【００４５】
以上のように、本実施形態に係る表示装置は、端面に設けられた光源２３からの光が隈無く表示方向に行き渡るため、表示方向の裏面側において表示面積に相当する光源２３を設けることなく、静電吸着シート３の全面に亘って光を行き届けさせ得る表示装置を提供することができる。斯かる構成によればサインシートを挿入するための隙間、サインシートの背面側に設ける光源２３や端面からの光源２３からの光を拡散させるための拡散板を設けること無く、コンパクトな構成が実現されている。また静電吸着シート３の特性故、貼付先との間に気泡を生じ難く均一な貼付が可能で、且つ、表面側からの不要な映り込みを招来し難いものとなっている。
【００４６】
加えて本実施形態ではサインシートとして静電吸着により固定される静電吸着シート３を利用しているため、装置自体がサインシートの隅部分を支持するためのフレームも勿論必要無く、それ故シンプルなデザインとすることも可能となっている。
【００４７】
本実施形態では光源２３を、表示方向に直交する端面のうち一端面すなわち下端面のみから発せられるものとすることで、表示装置としての構成をより簡素なものとしている。
【００４８】
また本実施形態では、裏面板２１が白色をなすもの、具体的には裏面板２１の表面に白色をなす反射シート２８を設けたことで、光源２３からの光を隈無く静電吸着シート３へ行き渡らせることを実現している。
【００４９】
本実施形態では静電吸着層３１の色彩は透明となっているが、勿論透明に限らず、所望の光を表面側に透過し得るものであれば他に透光性を有する乳白色を挙げることができる。
【００５０】
そして本実施形態では、光源２３が設けられていない端面に、反射部材２５を設けている構成を適用することで光源２３からの光を効率良く静電吸着シート３へ照射することに寄与している。
【００５１】
加えて、表示装置自体の構成を簡素なものとしつつ所望の効果を得る具体的な構成として本実施形態では、光源２３を、導光板２２の下方から発光する態様を適用している。
【００５２】
また、本実施形態では静電吸着シート３を、表面側に凹凸が形成された凹凸表面を有するものを適用することで、当該凹凸の部分にてさらに一部の光が種々の方向に反射し、結果として静電吸着シート３の全面に亘って光を行き渡らせることに寄与している。
【００５３】
＜変形例＞
【００５４】
以下、上記実施形態の変形例について説明するが、当該変形例について上記実施形態の構成要素に相当するものについては同じ符号を付すとともに、その詳細な説明を省略する。
【００５５】
本変形例に係る表示装置は、図７及び図８に示すように、上記実施形態同様の土台１、装置本体２、及び後化粧板６を具備するものである。しかしながら当該表示装置は上記実施形態とは異なり、複数の土台１、装置本体２、並びに図８においては左右二箇所に後化粧板６を配することで、正面、背面並びに両側面に導光板２２のシート貼付面２９が面する態様を実現したものである。また同変形例では、正面並びに背面側においては金属枠２６の表裏から裏面板２１、導光板２２を配している。そして側面に面する装置本体２の内側にのみ、上記実施形態にて開示した後化粧板６が直接露出されている。
【００５６】
このようなものであっても、上記実施形態同様、端面に設けられた光源２３からの光が隈無く表示方向に行き渡るため、表示方向の裏面側において表示面積に相当する光源２３を設けることなく、静電吸着シート３の全面に亘って光を行き届けさせ得る表示装置を提供することができるという効果を奏する。
【００５７】
また図９に示す変形例では、上記実施形態の他の変形例として、静電吸着シート３に代えて静電チャックフィルム４及び印刷シート５を適用した態様を図示している。具体的には、本変形例に係る表示装置では、導光板２２のシート貼付面２９に例えば透明状をなす静電チャックフィルム４を貼付しておき、帯電した状態にある静電チャックフィルム４の表面側に、更に所要の印刷内容が施された印刷シート５を静電吸着により貼付することにより、導光板２２のシート貼付面２９が間接的に印刷シート５を貼付できる態様を示している。印刷シート５の印刷内容としては例えば背景に乳白色を用いるなど導光板２２内で光が隈無く行き渡り易いようにしてもよい。同変形例における静電チャックフィルム４は、印刷シートを静電吸着により支持している点では従来と異なる。
【００５８】
このようなものであっても上記実施形態同様、端面に設けられた光源２３からの光が隈無く表示方向に行き渡るため、表示方向の裏面側において表示面積に相当する光源２３を設けることなく、静電吸着シート３の全面に亘って光を行き届けさせ得る表示装置を提供することができるという効果を奏する。
【００５９】
以上、本発明の一実施形態について説明したが、各部の具体的な構成は、上述した実施形態のみに限定されるものではなく、本発明の趣旨を逸脱しない範囲で種々変形が可能である。例えば上記実施形態では裏面板と導光板との間に隙間を設けない構成としたが勿論、構成上隙間を設けたとしても静電吸着シートの全面に亘って均一に発光させることが可能である。また上記実施形態では導光板の下端面から光源による照射を行う態様のみを開示したが勿論、導光板の側端面や上端面に光源を設けてもよい。
【００６０】
さらに上記実施形態では裏面板の表面が白色を呈する態様を開示したが勿論、裏面板の表面を鏡面状のものとしても良い。
【００６１】
また、光源の種類や導光板の具体的な形状といったその他の詳細な構成も、本発明の趣旨を逸脱しない範囲で種々変形が可能である。
【符号の説明】
【００６２】
２１・・・導光板
２２・・・裏面板
２３・・・光源
３・・・静電吸着シート
３１・・・静電吸着層
３２・・・印刷層
３３・・・凹凸表面
４・・・静電チャックフィルム
【図１】
2018180418.tif 000003
【図２】
2018180418.tif 000004
【図３】
2018180418.tif 000005
【図４】
2018180418.tif 000006
【図５】
2018180418.tif 000007
【図６】
2018180418.tif 000008
【図７】
2018180418.tif 000009
【図８】
2018180418.tif 000010
【図９】
2018180418.tif 000011